(57)【要約】      （修正有）【課題】被背負い人に不快感を与えることがないとともに、被背負い人の体重を背負い人の両肩に集中してかけることがなく、かつ、薄くて変形容易な素材から形成される背負い具を提供する。【解決手段】被背負い人の背中、臀部、左右の大腿部にそれぞれ当てられる、背側覆い部１１、臀覆い部１２、及び左右の大腿覆い部１４，１４を有した薄くて変形容易な本体部１０と、一端が本体部１０の背側覆い部１１に取り付けられ、他端側が、被背負い人の脇の下を通り、背負い人の肩越しに胸元で互いに交差されて、本体部１０の左右の大腿覆い部の一方を吊り上げた後、この背負い人の前側で互いに連結される、変形容易で細長い一対の肩掛け支持部２０，２０と、本体部１０の臀覆い部１２と左右の大腿覆い部とに、この本体部１０と一体となるように取り付けられ、背負い人の腰部に密着させて固定される、薄くて変形容易な腰当て支持部３０とを有する。【選択図】図１
0003144879.tif 000002
【実用新案登録請求の範囲】
【請求項１】
背負い人が被背負い人を背負って搬送するための背負い具であって、
前記被背負い人の背中、臀部、左右の大腿部にそれぞれ当てられる、背側覆い部、臀覆い部、及び左右の大腿覆い部を有した薄くて変形容易な本体部と、
一端が前記本体部の前記背側覆い部に取り付けられ、他端側が、前記被背負い人の脇の下を通り、前記背負い人の肩越しに胸元で互いに交差されて、前記本体部の前記左右の大腿覆い部の一方を吊り上げた後、この背負い人の前側で互いに連結される、変形容易で細長い一対の肩掛け支持部と、
前記本体部の前記臀覆い部側と前記左右の大腿覆い部側とに、この本体部と一体となるように取り付けられ、前記背負い人の腰部に密着させて固定される、薄くて変形容易な腰当て支持部とを有することを特徴とする背負い具。
【請求項２】
前記本体部の前記背側覆い部に、この本体部上に寝かされた前記被背負い人の上半身を、前記背負い人が、この被背負い人の頭部側から上方に引き起こす引き起こし手段を設けていることを特徴とする請求項1記載の背負い具。
【請求項３】
前記本体部の前記背側覆い部に、この背側覆い部に対する前記肩掛け支持部の一端側の位置を、前記被背負い人の脇の下側と頭部側とに移動させる移動手段を設けていることを特徴とする請求項１記載の背負い具。
【請求項４】
前記肩掛け支持部は、前記本体部との接続端から一対のものが連結される部分までの帯部の長さを調整する長さ調整具を有していることを特徴とする請求項１乃至３の何れかに記載の背負い具。
【請求項５】
前記肩掛け支持部の、前記背負い人の胸元で交差される部分に、前記帯部の折れ曲がり防止と移動の容易化を図る帯カバーを設けていることを特徴とする請求項１乃至４の何れかに記載の背負い具。
【請求項６】
前記本体部の前記背側覆い部は、前記被背負い人の頭部側まで延びているとともに、この背側覆い部中に、この背側覆い部の下側への折れ曲がりを防止する複数の芯材を有していることを特徴とする請求項１乃至５の何れかに記載の背負い具。
【考案の詳細な説明】
【技術分野】
【０００１】
この考案は、災害時や緊急避難時等に、負傷者、高齢者、病人、身体障害者等を背負って搬送するための背負い具に関するものである。
【背景技術】
【０００２】
負傷者、高齢者、病人、身体障害者といった、自身で十分に身動きの取れない者を、緊急時に搬送するには、彼らを背負って搬送するのが一番である。この搬送には、背負われて搬送される者（以下被背負い人という）や、背負って搬送する者（以下背負い人という）にできるだけ負担をかけないように、種々の背負い具が提案されている。
【０００３】
これらの背負い具には、いわゆる背負子といった、硬いフレーム等でできたものもあるが、このような背負い具は、搬送中に被背負い人を負傷させる虞があるとともに、保存時に嵩張り、かつ、重たく、さらに、コスト的にも安くはないといった欠点がある。このため、布地等でできた、薄くて変形容易な背負い具が注目されるが、このような物の一つに特許文献１に記載されているものがある。
【０００４】
この背負い具１００は、図１３の（ａ）、（ｂ）で示されるように、被背負い人Ｎの背中から臀部までを覆う本体部１０１と、本体部１０１の上部に連結される一対の肩掛けベルト１０２と、本体部１０１の下部に連結される一対の下ベルト１０３と、肩掛けベルト１０２と下ベルト１０３とを連結するとともに、下ベルト１０３の向きを変える一対の向き変え金具１０４と、向き変え金具１０４から出た下ベルト１０３の一端側１０３ａを、被背負い人Ｎの左右の大腿部の一方に巻き付けた後、互いに交差するように肩掛けベルト１０２側の連結具１０６に連結するための一対の連結具１０５等とから構成されている。
【０００５】
この背負い具１００では、連結具１０５を介して下ベルト１０３の一端側１０３ａを引くことにより、被背負い人Ｎを背負い人Ｍの背中側に加圧し、リュックを背負うように被背負い人Ｎを背負い人Ｍ側に支持させるものである。この場合、被背負い人Ｎの左右の大腿部に下ベルト１０３の一端側１０３ａを巻き付けて、この下ベルト１０３の端部を連結具１０５，１０６を介して肩掛けベルト１０２側に接続することにより、被背負い人Ｎの両足のぶらつきを防止している。
【０００６】
【特許文献１】実用新案登録第３１０８８２１号
【考案の開示】
【考案が解決しようとする課題】
【０００７】
上記従来の背負い具１００では、被背負い人Ｎの両膝Ｎ６，Ｎ６が、背負い人Ｍの腰の位置から前方に突き出されるが、膝Ｎ６に対して臀部Ｎ２の位置が下がりやすく、いわゆる臀が落ちた状態になって、被背負い人Ｎに不快感を与えやすいという問題があった。
【０００８】
また、上記従来の背負い具１００では、被背負い人Ｎの体重が背負い人の両肩Ｍ１，Ｍ１に集中してかかることになる。このため、この背負い具１００は、これを用いて被背負い人Ｎを搬送する場合に、背負い人Ｍが疲れやすく、長時間の搬送や、足場の悪い場所での搬送には、向いていないという問題があった。特に、被背負い人Ｎの体重が重く、かつ、被背負い人Ｎと背負い人Ｍとの体重差がある場合には、背負い人Ｍの疲れは飛躍的に大きくなり、上記問題は大きくなる。
【０００９】
この考案は、以上の点に鑑み、背負われた被背負い人に不快感を与えることがないとともに、被背負い人の体重を背負い人の両肩に集中してかけることがなく、かつ、薄くて変形容易な素材から形成される背負い具を提供することを目的とする。
【課題を解決するための手段】
【００１０】
この考案の請求項１記載の考案は、背負い人が被背負い人を背負って搬送するための背負い具であって、前記被背負い人の背中、臀部、左右の大腿部にそれぞれ当てられる、背側覆い部、臀覆い部、及び左右の大腿覆い部を有した薄くて変形容易な本体部と、一端が前記本体部の前記背側覆い部に取り付けられ、他端側が、前記被背負い人の脇の下を通り、前記背負い人の肩越しに胸元で互いに交差されて、前記本体部の前記左右の大腿覆い部の一方を吊り上げた後、この背負い人の前側で互いに連結される、変形容易で細長い一対の肩掛け支持部と、前記本体部の前記臀覆い部側と前記左右の大腿覆い部側とに、この本体部と一体となるように取り付けられ、前記背負い人の腰部に密着させて固定される、薄くて変形容易な腰当て支持部とを有することを特徴とする。
【００１１】
この考案では、一対の肩掛け支持部が、背負い人の両肩を介して、被背負い人の臀部側を支える本体部の背側覆い部や臀覆い部を上方に引き上げるとともに、被背負い人の両足の大腿部を支える本体部の左右の大腿覆い部を、背負い人の両肩側に斜状に引き上げている。また、この考案では、本体部と一体となるように設けられた腰当て支持部が、被背負い人の体重を背負い人の腰にかけるようにしている。したがって、この考案では、背負い人の背中に背負われた被背負い人の体重の一部は、本体部から、一対の肩掛け支持部を介して、背負い人の両肩で支えられるが、被背負い人の体重の残部は、本体部から、腰当て支持部を介して、背負い人の腰部で支えられる。
【００１２】
また、この考案では、被背負い人の臀部側は、本体部の背側覆い部や臀覆い部を介して、肩掛け支持部の一端側から上方に引き上げられ、被背負い人の大腿側は、本体部の左右の大腿覆い部を介して、肩掛け支持部の他端側から斜め上方に引き上げられる。この場合、腰当て支持部が本体部の臀覆い部側や左右の大腿覆い部側と一体となるように取り付けられ、かつ、腰当て支持部が背負い人の腰部に密着するように固定されるので、臀覆い部と左右の大腿覆い部との上下位置に変化が生じることはない。
【００１３】
この考案の請求項２記載の考案は、請求項１に記載の考案の場合において、前記本体部の前記背側覆い部に、この本体部上に寝かされた前記被背負い人の上半身を、前記背負い人が、この被背負い人の頭部側から上方に引き起こす引き起こし手段を設けていることを特徴とする。
【００１４】
この考案では、被背負い人が寝たきりの病人のように足腰が立たない場合は、被背負い人を本体部上に寝かせた後、背負い人が被背負い人を背負えるように、被背負い人の上半身を本体部の背側覆い部と共に起こしてやる必要がある。この考案では、本体部の背側覆い部に、被背負い人を頭部側から上方に引き起こすための引き起こし手段を設けているので、背負い人が、この引き起こし手段を使用して、被背負い人の上体を、楽にかつ迅速に、起こすことができる。
【００１５】
この考案の請求項３記載の考案は、請求項２に記載の考案の場合において、前記本体部の前記背側覆い部に、この背側覆い部に対する前記肩掛け支持部の一端側の位置を、前記被背負い人の脇の下側と頭部側とに移動させる移動手段を設けていることを特徴とする。
【００１６】
この考案では、本体部上に寝かされた前記被背負い人の上半身を起こす場合には、移動手段を用いて、肩掛け支持部の一端側の位置を、前記被背負い人の頭部側に移動させ、背負い人が、肩掛け支持部を使用して、被背負い人の上半身を、背側覆い部と共に、楽にかつ迅速に起こすことができる。なお、背負い人が被背負い人を背負う場合には、移動手段を用いて、肩掛け支持部の一端側の位置を、前記被背負い人の脇の下側に移動させておく。
【００１７】
この考案の請求項４記載の考案は、請求項１乃至３の何れかに記載の考案の場合において、前記肩掛け支持部は、前記本体部との接続端から一対のものが連結される部分までの帯部の長さを調整する長さ調整具を有していることを特徴とする。
【００１８】
この考案では、長さ調整具により、肩掛け支持部の、本体部との接続端から一対のものが連結される部分までの帯部の長さを短くすれば、被背負い人が本体部を介して背負い人側に加圧され、長さを長くすれば、被背負い人への加圧力を小さくすることができる。
【００１９】
この考案の請求項５記載の考案は、請求項１乃至４の何れかに記載の考案の場合において、前記肩掛け支持部の、前記背負い人の胸元で交差される部分に、前記帯部の折れ曲がり防止と移動の容易化を図る帯カバーを設けていることを特徴とする。
【００２０】
この考案の請求項６記載の考案は、請求項１乃至５の何れかに記載の考案の場合において、前記本体部の前記背側覆い部は、前記被背負い人の頭部側まで延びているとともに、この背側覆い部中に、この背側覆い部の下側への折れ曲がりを防止する複数の芯材を有していることを特徴とする。
【考案の効果】
【００２１】
この考案の請求項１に記載の考案によれば、被背負い人を背負い人の肩と腰で支持するようにしているので、被背負い人の体重をバランスよく背負い人にかけることができ、背負い人の疲れを減少させることができる。このため、この考案では、背負い人は、長時間被背負い人を背負って搬送できるとともに、足場の悪い場所でも、被背負い人を背負って容易に歩くことができ、かつ、被背負い人の体重が背負い人の体重より十分に重くても、背負い人は被背負い人を背負って容易に搬送できる。
【００２２】
また、この考案によれば、被背負い人の臀部と左右の大腿部とを支える、本体部の臀覆い部と左右の大腿覆い部との上下位置に変化を生じさせることがないので、被背負い人の姿勢が安定し、例えば、被背負い人に膝頭より臀部が下がった不快な姿勢を取らせることはなく、被背負い人も気持ちよく背負ってもらうことができる。もちろん、この考案では、本体部等は薄くて変形容易な素材からできているので、背負い具を容易に折り畳むことができる。したがって、この考案では、背負い具の保管に場所を取らず、かつ、背負い具の持ち運びも容易である。
【００２３】
この考案の請求項２及び３に記載の考案によれば、寝たきりの病人のように足腰が立たない者を背負う場合でも、背負い人自身が、被背負い人の上半身を容易に起こすことができ、背負い時に介護者が不要となって、背負い作業の迅速化や容易化を図ることができる。
【００２４】
この考案の請求項４に記載の考案によれば、肩掛け支持部の長さ調整具を用いて、被背負い人を背負い人側に種々の加圧力で加圧できるので、背負い人は、被背負い人に合った十分な加圧力で、被背負い人を自分の背中に引きつけて楽に搬送することができる。
【００２５】
この考案の請求項５に記載の考案によれば、長さ調整具を用いて肩掛け支持部の帯部の長さを調整する場合に、帯カバーを介して帯部を容易に滑らせることができ、背負い作業の容易化と迅速化を図ることができる。また、この考案では、帯部を折り曲げることなく胸元に当てることができ、帯部からの力を均等に背負い人にかけることができる。
【００２６】
この考案の請求項６に記載の考案によれば、背負われた被背負い人の頭部を本体部の背側覆い部で支えることができるので、被背負い人の姿勢が安定し、背負い人は被背負い人を楽に背負うことができるとともに、被背負い人も楽な状態で気持ちよく背負ってもらうことができる。
【考案を実施するための最良の形態】
【００２７】
以下、この考案の最良の実施形態を図面を参照しつつ説明する。
図１はこの考案の一実施の形態に係る背負い具をしており、図８はこの背負い具を使用して背負い人Ｍが被背負い人Ｎを背負った状態を示している。
【００２８】
背負い具１は、背負い人Ｍが被背負い人Ｎを背負って搬送するためのものであり、図１及び図８で示されるように、被背負い人Ｎの背中Ｎ１側、臀部Ｎ２、左右の大腿部Ｎ３，Ｎ３に当てられる薄くて変形容易な本体部１０と、一端側がこの本体部１０に取り付けられ、被背負い人Ｎの体重の一部を背負い人Ｍの両肩Ｍ１，Ｍ１に掛けるための、変形容易で細長い一対の肩掛け支持部２０、２０と、本体部１０に一体となるように取り付けられ、被背負い人Ｎの体重の残部を背負い人Ｍの腰部Ｍ２に掛けるための、薄くて変形容易な腰当て支持部３０とから構成されている。
【００２９】
図２は、本体部１０と一対の肩掛け支持部２０、２０とを内面（被背負い人Ｎに接する面）側から見た、これらの正面図であり、図３は、本体部１０と一対の肩掛け支持部２０，２０とを外面側から見た、これらの背面図である。
【００３０】
本体部１０は、大部分が変形容易な布地によって形成されており、図２及び図３で示されるように、左右対称に形成されている。この本体部１０は、略長方形をした中央部Ｔの上部側にあって、被背負い人Ｎの背中Ｎ１側（他に頭部Ｎ４や腰部Ｎ５を含む。図８参照。）を覆う背側覆い部１１と、中央部Ｔの下部側にあって、下端側が漸次細幅に絞られている、被背負い人Ｎの臀部Ｎ２を覆う臀覆い部１２と、中央部Ｔの下端にあり、腰当て支持部３０と連結される小長方形状の連結部１３と、臀覆い部１２の左右に縫合によって取り付けられた、略３角形状の、左右の大腿覆い部１４，１４と、大腿覆い部１４，１４を吊り上げるための、一対の布製の支持バンド１５，１５とから構成されている。
【００３１】
本体部１０の中央部Ｔは、内面側の柔らかな感触の裏地と、中間部のクッション材と、外面側の撥水性の表地とからなる三層構造の布地によって形成されている。この中央部Ｔ内には、図２及び図３で示されるように、背側覆い部１１の中央部と左右両側に、薄くて変形しにくい帯状の樹脂板からなる３つの芯材Ｔ１，Ｔ２，Ｔ２が縫い込まれており、背側覆い部１１の下部側と臀覆い部１２と連結部１３との中央部に、背側覆い部１１の中央の芯材Ｔ１から続くように、変形容易な帯状の補強芯材Ｔ３が縫い込まれている。なお、中央の芯材Ｔ１の上端側は、左右の芯材Ｔ２，Ｔ２よりやや低い位置に設けられている。
【００３２】
背側覆い部１１の内面側上端部には、図２で示されるように、本体部１０上に仰向けに寝かされた被背負い人Ｎの上半身を起こすための引き起こし手段である一対の引き起こしバンド１１ａ，１１ａが設けられている。また、連結部１３の外面側には、図３で示されるように、縫いつけられた不図示の補強布を介して、芯材Ｔ３に支持されるように、腰当て支持部３０用の１対のベルト通し１３ａ，１３ａが設けられている。
【００３３】
大腿覆い部１４は、柔らかな感触の裏地と、撥水性の表地とからなる二層構造の布地によって形成されており、被背負い人Ｎの左右の大腿部Ｎ３，Ｎ３に巻き付けられて、この大腿部Ｎ３，Ｎ３を保護するものである。大腿覆い部１４は、図２及び図３で示されるように、上方への突出部１４ａ−１を有する内巻き部１４ａと、下方への突出部１４ｂ−１を有する外巻き部１４ｂとを有しており、この内巻き部１４ａの外面と外巻き部１４ｂの内面には、これらを連結する、フック部Ｆ１とループ部Ｆ２とからなる帯状の面状ファスナＦが設けられている。また、大腿覆い部１４の外巻き部１４ｂの表面には、縫いつけられた不図示の補強布上に、腰当て支持部３０用のベルト通し１４ｃが設けられている。
【００３４】
支持バンド１５は、大腿覆い部１４で巻かれた被背負い人Ｎの大腿部Ｎ３を、肩掛け支持部２０により上方に引き上げるものであり、本体部１０の外面側に設けられている。この支持バンド１５は、厚手の布製帯部材をＵ状に曲げたものから形成されており、両端部が芯材Ｔ２に支持されるように位置決めされて、臀覆い部１２から大腿覆い部１４にかけて縫い合わされており、帯部材が丸く重ね合わされた引っかけ部１５ａが大腿覆い部１４，１４の端部からやや突き出すように位置決めされている。
【００３５】
なお、図３中の符号Ｃ１，Ｃ２は、接合部を隠す薄い覆い布であり、符号Ｄは、透明で柔らかい樹脂シートで覆われた表示差し込み用のポケットである。
【００３６】
一対の肩掛け支持部２０，２０は、図１や図８で示されるように、一端が本体部１０の背側覆い部１１の外面に取り付けられ、他端側が、被背負い人Ｎの脇の下を通り、背負い人Ｍの肩Ｍ１越しに胸元で互いに交差されて、支持バンド１５を介して、本体部１０の大腿覆い部１４，１４の一方を吊り上げた後、この背負い人Ｍの前側で互いに連結される。なお、一対の肩掛け支持部２０，２０は、本体部１０の背面側に左右対称な状態で、斜め上向きに約２５度の角度で取り付けられている。
【００３７】
肩掛け支持部２０は、図２や図３で示されるように、上帯部２１と、下帯部２２と、長さ調整具としての締め金具２３と、連結具としてのバックル２４と、肩掛けパッド２５と、脇下パッド２６とから構成されている。
【００３８】
上帯部２１は、比較的短い厚手の布製帯部材から形成され、一端側が本体部１０の背側覆い部１１の上下中間部よりやや下側の芯材Ｔ１に縫合され、他端側が、図３で示されるように、締め金具２３の一端部２３ａに連結されている。この上帯部２１の他端側は、肩掛けパッド２５の外面側の一端部にも縫合され、締め金具２３を、この肩掛けパッド２５上に位置決めしている。また、上帯部２１の中間部には、厚めの柔らかいクッション材から形成される脇下パッド２６が上帯部２１を挟み付けるように縫合されている。
【００３９】
下帯部２２は、比較的長い厚手の布製帯部材から形成され、図３で示されるように、一端側が、締め金具２３の中間部２３ｃを挟み込んだ後、他端部２３ｂの下側を通り抜けるようにして、この締め金具２３に連結され、この締め金具２３を介して上帯部２１と連結されている。下帯部２２の他端側２２ｂには、肩掛けパッド２５の帯カバー２５ａ下を通り抜けた後に、バックル２４の雄部２４ａ又は雌部２４ｂが取り付けられている。なお、下帯部２２の一端側の締め金具２３から出た端部２２ａと、下帯部２２の他端側のバックル２４の雄部２４ａ又は雌部２４ｂから出た端部２２ｂとは、拘束のない自由端となっている。
【００４０】
バックル２４は、図１で示されるように、雄部２４ａと雌部２４ｂとから構成され、弾性力を利用して雄部２４ａを雌部２４ｂに差し込むことにより連結され、連結された雄部２４ａを手で加圧することにより連結を容易に解除できるものである。このバックル２４は、下帯部２２の端部２２ｂを、雄部２４ａと雌部２４ｂの内面側にある支持バーＢをくぐらすことにより、下帯部２２に取り付けられる。
【００４１】
肩掛けパッド２５は、厚めの柔らかいクッション材から形成されており、表面側に、全長の約１／２の長さに亘って、下帯部２２を通過させる帯カバー２５ａが設けられている。この肩掛けパッド２５は、背負い人Ｍの肩Ｍ１から胸の部分に当てられる。
【００４２】
腰当て支持部３０は、図８で示されるように、背負い人Ｍの腰部Ｍ２に密着するように固定されて、被背負い人Ｎの体重の一部を背負い人Ｍの腰部Ｍ２に支持させるものである。腰当て支持部３０は、図４で示されるように、太幅でやや長い腰当て部３１と、この腰当て部３１を、本体部１０の連結部１３と左右の大腿覆い部１４，１４とに連結する（図５参照）とともに、この腰当て支持部３０を背負い人Ｍの腰部Ｍ３に固定するための固定ベルト３２とから構成されている。
【００４３】
腰当て部３１は、本体部１０と同様に３層構造の布地から形成され、外面側の、中央部と両端部に、固定バンド３２差し込み用の３つのベルト通し３１ａが設けられている。固定バンド３２は、厚手の布製帯部材から形成されている。この固定バンド３２には、両端側を接合するために、一端側の外面に面状ファスナＦのフック部Ｆ１が設けられ、他端側の内面に面状ファスナＦのループ部Ｆ２が設けられている。
【００４４】
腰当て部３１のベルト通し３１ａは、本体部１０の連結部１３のベルト通し１３ａ，１３ａ及び大腿覆い部１４のベルト通し１４ｃと交互に設けられている。このため、図５で示されるように、内面側を上向きにした本体部１０の連結部１３を上向きに９０度入り曲げ、かつ、大腿覆い部１４の突出部１４ｂ−１をほぼ１８０度湾曲させた状態で、これらの表面に、腰当て部３１の外面を当て、それぞれのベルト通し３１ａ，１４ｃ，１３ａに固定ベルト３２を通すことにより、腰当て部３１を立てた状態で、腰当て支持部３０と本体部１０とは一体化される。
【００４５】
つぎに、背負い具１の用い方と作用効果について説明する。
例えば、介助者がいない状態で、背負い人Ｍが寝たきりの被背負い人Ｎを背負って搬送する場合について説明する。背負い人Ｍは、床から一定の高さがあるベットの上に、被背負い人Ｎを膝を曲げた状態で横向きに寝かせ、ベット中央に、この背負い具１を内面側を上にして広げる。この場合、被背負い人Ｎを、ベットの長手方向の端部からに足先が突き出る程度に位置をずらして寝かせるとともに、背負い具１を、腰当て支持部３０がベットの長手方向の端部に配置されるように位置決めする。
【００４６】
つぎに、被背負い人Ｎを、横倒しにして、背負い具１上に仰向けに寝かせ、被背負い人Ｎの臀部Ｎ２を臀覆い部１２上に、左右の大腿部Ｎ３，Ｎ３を、大腿覆い部１４，１４上に位置決めする。この場合、被背負い人Ｎの膝下はベットから床側に降りた状態になるとともに、被背負い人Ｎの体格の大小にもよるが、被背負い人Ｎの頭部Ｎ４は、ほぼ背側覆い部１１の上端側に位置した状態となる。つづいて、大腿覆い部１４の内巻き部１４ａを被背負い人Ｎの大腿部Ｎ３上に巻き当てた後、外巻き部１４ｂを内巻き部１４ａ上に当てて巻き、面状ファスナＦにより大腿覆い部１４を固定して、被背負い人Ｎの左右の大腿部Ｎ３，Ｎ３を大腿覆い部１４，１４により覆う。
【００４７】
つぎに、背負い人Ｍは、図６で示されるように、被背負い人Ｎの頭部側の引き起こしバンド１１ａ，１１ａを両手で握って引き上げ、被背負い人Ｎの上半身を引き起こして、被背負い人Ｎをベットの端に座らせた状態にする。背負い人Ｍは、被背負い人Ｎの上半身を自身に支持させた状態で、中腰になり、背中を被背負い人Ｎに向けるように向きを変え、被背負い人Ｎを背負うような姿勢を作る。この場合、背負い人Ｍは、左右の肩掛け支持部２０，２０を被背負い人Ｎの脇の下を通って、自身の両肩Ｍ１，Ｍ１上に位置させるようにする。つづいて、背負い人Ｍは、腰当て支持部３０の腰当て部３１を自身の腰部Ｍ３に当て、固定ベルト３２を腰部Ｍ３に巻き付けて、面状ファスナＦにより腰当て支持部３０を腰部Ｍ３にしっかりと固定する。
【００４８】
つぎに、背負い人Ｍは、左右の肩掛け支持部２０，２０を胸元で交差させ、つづいて、それぞれの下帯部２２，２２を被背負い人Ｎの左右の大腿部Ｎ３，Ｎ３側にある支持バンド１５，１５にからめた後、下帯部２２，２２に取り付けられている雄部２４ａと雌部２４ｂのバックル２４を、自身の前部（胸の下部又は腹部の上部）で連結する。つづいて、背負い人Ｍは、バックル２４から垂れる下帯部２２，２２の端部２２ｂ，２２ｂを左右に引いて、支持バンド１５，１５等がたるむことなく、ピーンと張っていることを確認する。
【００４９】
つぎに、背負い人Ｍは、立ち上がって、左右の肩掛け支持部２０，２０の締め金具２３，２３から垂れる下帯部２２，２２の端部２２ａ,２２ａを両手で下方に引き、被背負い人Ｎを自身の背中に密着させて、搬送中に被背負い人Ｎが背中でぶれないようにすれば、背負い具１を用いて被背負い人Ｎを背負う動作は完了する。この状態で、被背負い人Ｎの両足は、大腿部Ｎ３，Ｎ３を背負い人Ｍの腰部Ｍ２の両横に密着させた状態で、左右の膝頭が背負い人Ｍの腰部Ｍ２の左右から前方に突き出されるように支持され、被背負い人Ｎの頭部Ｎ４は、後方から背側覆い部１１で覆われた状態となる。
【００５０】
以上のように、この背負い具１では、一対の肩掛け支持部２０，２０が、背負い人Ｍの両肩Ｍ１，Ｍ１を介して、被背負い人Ｎの臀部Ｎ２側を支える本体部１０の背側覆い部１１や臀覆い部１２を上方に引き上げるとともに、被背負い人Ｎの両足の大腿部Ｎ３，Ｎ３を支える本体部１０の左右の大腿覆い部１４，１４を、支持バンド１５，１５を介して、背負い人Ｍの両肩Ｍ１，Ｍ１側に斜状に引き上げている。また、この背負い具１では、本体部１０と一体となるように設けられた腰当て支持部３０が、被背負い人Ｎの体重を背負い人Ｍの腰部Ｍ２にかけるようにしている。したがって、この背負い具１では、背負い人Ｍの背中に背負われた被背負い人Ｎの体重の一部は、本体部１０から、一対の肩掛け支持部２０，２０を介して、背負い人Ｍの両肩Ｍ１，Ｍ１で支えられるが、被背負い人Ｎの体重の残部は、本体部１０から、腰当て支持部３０を介して、背負い人Ｍの腰部Ｍ２で支えられる。
【００５１】
したがって、この背負い具１では、被背負い人Ｎを背負い人Ｍの両肩Ｍ１，Ｍ１と腰Ｍ２で支持するようにしているので、被背負い人Ｎの体重をバランスよく背負い人Ｍにかけることができ、背負い人Ｍの疲れを減少させることができる。このため、この背負い具１では、背負い人Ｍは、長時間被背負い人Ｎを背負って搬送できるとともに、足場の悪い場所でも、被背負い人Ｎを背負って容易に歩くことができ、かつ、被背負い人Ｎの体重が背負い人Ｍの体重より十分に重くても（被背負い人Ｎの体格が背負い人Ｍの体格より十分に大きくても）、背負い人Ｍは被背負い人Ｎを背負った状態で容易に搬送できる。
【００５２】
また、この背負い具１では、被背負い人Ｎの臀部Ｎ２側は、本体部１０の背側覆い部１１や臀覆い部１２を介して、肩掛け支持部２０，２０の一端側から上方に引き上げられ、被背負い人Ｎの両足の大腿部Ｎ３，Ｎ３側は、本体部１０の左右の大腿覆い部１４，１４を介して、肩掛け支持部２０，２０の他端側から斜め上方に引き上げられる。この場合、腰当て支持部３０が本体部１０の臀覆い部１２や左右の大腿覆い部１４，１４と一体となるように取り付けられ、かつ、腰当て支持部３０が背負い人Ｍの腰部Ｍ２に密着するように固定されるので、臀覆い部１２と左右の大腿覆い部１４，１４との上下位置に変化が生じることはない。
【００５３】
したがって、この背負い具１では、被背負い人Ｎの臀部Ｎ２と左右の大腿部Ｎ３，Ｎ３を支える、本体部１０の臀覆い部１２と左右の大腿覆い部１４，１４との上下位置に変化を生じさせることがない。このため、この背負い具１では、被背負い人Ｎの姿勢が安定し、例えば、被背負い人Ｍに膝頭より臀部Ｎ２が下がった不快な姿勢を取らせることはないので、被背負い人Ｎも気持ちよく背負ってもらうことができる。
【００５４】
さらに、この背負い具１では、本体部１０の背側覆い部１１に、被背負い人Ｎを頭部Ｎ４側から上方に引き起こすための引き起こし手段（引き起こしバンド１１ａ，１１ａ）を設けているので、背負い人Ｍが、この引き起こし手段を使用して、被背負い人Ｎの上半身を、楽にかつ迅速に起こすことができる。したがって、この背負い具１では、寝たきりの病人のように足腰が立たない者を背負う場合でも、背負い人Ｍ自身が、被背負い人Ｎの上半身を容易に起こすことができ、背負い時に介護者が不要となって、背負い作業の迅速化や容易化を図ることができる。
【００５５】
また、この背負い具１では、肩掛け支持部２０に長さ調整具（締め金具２３）を設け、この締め金具２３により、下帯部２２の、この締め金具２３からバックル２４までの長さ（以下締め付け長さという）を変更して、肩掛け支持部２０の、本体部１０との接続端から一対のものが連結されるバックル２４までの帯部（上帯部２１と下帯部２２とを合わせたもの）の長さを変更できるようにしている。このため、この背負い具１では、下帯部２２の締め付け長さを短くすれば、被背負い人Ｎを本体部１０を介して背負い人Ｍ側に容易に加圧でき、下帯部２２の締め付け長さを長くすれば、被背負い人への加圧力を容易に緩和することができる。このため、この背負い具１では、背負い人Ｍは、被背負い人Ｎに合った十分な加圧力で、被背負い人Ｎを自分の背中に引きつけて、がたつかせることなく楽に搬送することができる。
【００５６】
さらに、この背負い具１では、バックル２４にも、このバックル２４から締め金具２３までの下帯部２２の長さを調整する長さ調整手段が設けられているので、この長さ調整手段により、支持バンド１５，１５を介して、被背負い人Ｎの左右の大腿部Ｎ３，Ｎ３を背負い人Ｍの腰部Ｍ２に密着させることができる。
【００５７】
また、この背負い具１では、肩掛け支持部２０の肩掛けパッド２５に帯カバー２５ａを設け、下帯部２２を帯カバー２５ａの下面側に通して案内している。このため、背負い人Ｍが、肩掛け支持部２０，２０を肩越しに胸元で十字交差させる場合に、下帯部２２を折り曲げたり捩ってしまうことがなく、下帯部２２を平らな状態で胸元に当てることができる。したがって、この背負い具１では、下帯部２２からの力を均等に背負い人Ｍにかけることができるとともに、締め金具２３を用いて下帯部２２を引っ張ったり緩めたりした場合にも、スムーズにその作業を行うことができる。
【００５８】
さらに、この背負い具１では、本体部１０の背側覆い部１１が被背負い人Ｎの頭部Ｎ４側まで延び、かつ、背側覆い部１１中に、これが下向きに折れ曲がるのを防止する複数の帯状芯材Ｔ１，Ｔ２を有している。このため、この背負い具１では、図７で示されるように、背負われた被背負い人Ｎの頭部Ｎ４が後方等に傾いても、芯材Ｔ１，Ｔ２がねじれるようにして支え、被背負い人Ｎの頭部Ｎ４を背側覆い部１１で支えることができる。したがって、この背負い具１では、被背負い人Ｎの姿勢が安定し、背負い人Ｍは被背負い人Ｎを楽に背負うことができるとともに、被背負い人Ｎも楽な状態で気持ちよく背負ってもらうことができる。
【００５９】
また、この背負い具１では、芯材Ｔ１，Ｔ２を除いた本体部１０、肩掛け支持部２０，２０、腰当て支持部３０が、軽くて薄くかつ変形容易な布等から形成されているので、収納時や移動時にこれを小さく折り畳むことができ、収納場所を取らず、移送も容易である。この場合、芯材Ｔ１，Ｔ２は、帯状に細長く、かつ、薄くて軽いので、背負い具１の折り畳みの障害になることはない。
【００６０】
さらに、この背負い具１では、被背負い人Ｎや背負い人Ｍへの接触部が柔らかい素材でできているので、この背負い具１により、被背負い人Ｎや背負い人Ｍを傷つけてしまうことはない。
【００６１】
なお、以上の説明は、背負い人Ｍ以外に介助者が全くいない場合についてのものであるが、介護者が、例えば、高齢の女性のように、ほとんど腕力等のない者の場合においても、背負い人Ｍの動作は以上の場合とほとんど変わらない。ただし、被背負い人Ｎをベッドの上に座らせた状態で、このような介護者が、被背負い人Ｎが倒れるのを防止できれば、背負い人Ｍの作業は十分に軽減される。
【００６２】
また、被背負い人Ｎが段差のない面上に夜具を介して寝たきりになっている場合、背負い人Ｍが、これと同一の面上から被背負い人Ｎを背負って立ち上がることは不可能である。このため、被背負い人Ｎが床面や畳の上に夜具を介して寝かされている場合には、被背負い人Ｎを抱き上げて、この被背負い人Ｎを、背負い具１が広げてある背もたれのある椅子や一定の高さのあるベットの上に移す必要がある。
【００６３】
図９及び図１０は、引き起こし手段（引き起こしバンド１１ａ，１１ａ）でなく、移動手段により一端側の位置がずらされた肩掛け支持部２０，２０を用いて、寝たきりになっている被背負い人Ｎの上半身を引き起こす場合の変更実施形態を示している。寝たきりになっている被背負い人Ｎの上半身を、一端側が被背負い人Ｎの脇の下側の位置にある肩掛け支持部２０，２０を用いて引き起こすには大変な力が必要となる。そこで、図９（ａ）で示されるように、肩掛け支持部２０の一端（上帯部２１の一端）を取り付けた矩形状の樹脂板４０と、この樹脂板４０をがたつきなく収納し、この樹脂板４０の上端側が背側覆い部１１の表面側に縫いつけられた補強袋４１とで移動手段を構成し、図９（ｂ）で示されるように、樹脂板４０の上端側の回転線Ｋを介して、この樹脂板４０を表裏が逆になるように１８０度回転させることにより、肩掛け支持部２０，２０の一端側の位置を、被背負い人Ｎの脇の下側の位置と頭部Ｎ４側の位置とに移動させるようにした。
【００６４】
この背負い具１をベッドの上に広げる場合には、樹脂板４０を補強袋４１を介して上側に１８０度回転させ、一対の肩掛け支持部２０，２０の一端側が、被背負い人Ｎの頭部Ｎ４側に位置するようにしておく。このことにより、図１０で示されるように、背負い具１上に寝かされた被背負い人Ｎの上半身を、背負い人Ｍが、被背負い人Ｎの上方から肩掛け支持部２０，２０を用いて引き起こす場合に、被背負い人Ｎ側にその腰部Ｎ５を中心に大きなモーメント力を与えることができるので、肩掛け支持部２０，２０にそれほど大きな力を加えなくても、被背負い人Ｎの上半身を容易に引き起こすことができる。そして、被背負い人Ｎを座った状態に引き起こすと、樹脂板４０等は自重によって元の位置、すなわち、補強袋４１を介して下側に１８０度回転した位置に戻るので、肩掛け支持部２０，２０の一端側は被背負い人Ｎの脇の下側の位置に移動し、背負い人Ｍは被背負い人Ｎを容易に背負うことができるようになる。
【００６５】
また、図１１は、一対の肩掛け支持部２０，２０のみを用いて、背負い具１上に寝かされている被背負い人Ｎの上半身を引き起こす場合を示している。この場合には、肩掛け支持部２０，２０の他端側どうしをバックル２４によって連結して、この肩掛け支持部２０，２０のバックル２４側を背負い具１上の被背負い人Ｎの首Ｎ６の後面側に配置すればよい。背負い人Ｍは、一端側が被背負い人Ｎの脇の下側の位置にあり、他端側が被背負い人Ｎの首Ｎ６の後面側にある、一対の肩掛け支持部２０，２０を斜め上方に引くことにより、背負い具１上に寝かされた被背負い人Ｎの上半身を、比較的容易に引き起こすことができる。
【００６６】
さらに、図１２は、この背負い具１を担架として用いた場合を示している。一方の介護者Ｌ１が、背負い具１上に寝かされた被背負い人Ｎの大腿部Ｎ３，Ｎ３の間に腰を入れ、両手で一対の支持バンド１５，１５をつかんで被背負い人Ｎの下半身側を支持する。また、他方の介護者Ｌ２が、端部がバックル２４によって連結された肩掛け支持部２０，２０を首に掛けて、被背負い人Ｎの背中側を支持るとともに、両手で引き起こしバンド１１ａ，１１ａつかんで被背負い人Ｎの頭部Ｎ４側を支持する。このことにより、この背負い具１を担架として機能させることができるので、二人の介護者Ｌ１，Ｌ２が、この背負い具１を用いて被背負い人Ｎを容易に搬送することができる。
【図面の簡単な説明】
【００６７】
【図１】この考案の一実施の形態に係る背負い具の使い方を示す外観斜視図である。
【図２】背負い具を被背負い人に接する内面側から見た場合の、本体部と左右の肩掛け支持部との正面図である。
【図３】背負い具を外面側から見た場合の、本体部と左右の肩掛け支持部との背面図である。
【図４】腰当て支持部の説明図である。
【図５】背負い具を内面側から見た場合の、腰当て支持部周りの拡大図である。
【図６】背負い具上に寝かされた被背負い人の上半身を起こす場合の説明図である。
【図７】被背負い人を背負った場合の、背側覆い部の状態を示す図である。
【図８】背負い具を用いて背負い人が被背負い人を背負った状態を示す外観斜視図である。
【図９】背負い具上に寝かされた被背負い人の上半身を肩掛け支持部を用いて起こすための、肩掛け支持部の一端側の移動手段を示しており、（ａ）は肩掛け支持部の一端側の移動前の状態を示し、（ｂ）は移動後の状態を示している。
【図１０】図９で示される移動手段を用いて肩掛け支持部の一端側を移動させ、この肩掛け支持部で被背負い人の上半身を起こそうとしている状態を示す図である。
【図１１】左右の肩掛け支持部を連結し、この連結部近傍を被背負い人の首に回して、左右の肩掛け支持部を用いて被背負い人の上半身を起こそうとしている状態を示す図である。
【図１２】背負い具を担架として使用している状態を示す図である。
【図１３】従来の背負い具を示す図であり、（ａ）は背負い具に被背負い人を入れた状態を示し、（ｂ）はこの背負い具を用いて、背負い人が被背負い人を背負った状態を示している。
【符号の説明】
【００６８】
１  背負い具
１０  本体部
１１  背側覆い部
１１ａ  引き起こしバンド（引き起こし手段）
１２  臀覆い部
１４  大腿覆い部
２０  肩掛け支持部
２３  締め金具（長さ調整具）
２５ａ  帯カバー
３０  腰当て支持部
４０  樹脂板（移動手段）
４１  補強袋（移動手段）
Ｍ  背負い人
Ｎ  被背負い人
【図１】
0003144879.tif 000003
【図２】
0003144879.tif 000004
【図３】
0003144879.tif 000005
【図４】
0003144879.tif 000006
【図５】
0003144879.tif 000007
【図６】
0003144879.tif 000008
【図７】
0003144879.tif 000009
【図８】
0003144879.tif 000010
【図９】
0003144879.tif 000011
【図１０】
0003144879.tif 000012
【図１１】
0003144879.tif 000013
【図１２】
0003144879.tif 000014
【図１３】
0003144879.tif 000015